(57)【要約】  【課題】引戸を収納棚に取り付けた状態で、引戸用ランナ装置の上下方向位置を調整可能とする。  【解決手段】引戸３の裏面側に設けられるとともに、収納棚２の上板２Ａ端面及び下板２Ｂ端面とに夫々設けられたレール５，５上を走行するローラ部材１３を備え、前記引戸３を開閉自在とする引戸用ランナ装置６であって、前記引戸用ランナ装置６は、引戸３側に固定される引戸側金物８と、前記ローラ部材１３を備えるとともに、前記引戸側金物８に対し装着自在とされるランナ本体９とからなり、前記ランナ本体９を前記引戸側金物８に装着した状態で、偏心位置に前記ローラ部材を支持する支持部材を揺動操作することにより、前記ローラ部材１３の上下方向位置を調整可能とする。【選択図】図２
2005146681.tif 000002
【特許請求の範囲】
【請求項１】
引戸の裏面側に設けられるとともに、収納棚の上板端面及び下板端面とに夫々設けられたレール上を走行するローラ部材を備え、前記引戸を開閉自在とする引戸用ランナ装置であって、
前記引戸用ランナ装置は、引戸側に固定される引戸側金物と、前記ローラ部材を備えるとともに、前記引戸側金物に対し装着自在とされるランナ本体とからなり、
前記ランナ本体を前記引戸側金物に装着した状態で、偏心位置に前記ローラ部材を支持する支持部材を揺動操作することにより、前記ローラ部材の上下方向位置を調整可能としたことを特徴とする引戸用ランナ装置。
【請求項２】
引戸の裏面側に設けられるとともに、収納棚の上板端面及び下板端面とに夫々設けられたレール上を走行するローラ部材を備え、前記引戸を開閉自在とする引戸用ランナ装置であって、
前記引戸用ランナ装置は、引戸側に固定される引戸側金物と、前記ローラ部材を備えるとともに、前記引戸側金物に対し装着自在とされるランナ本体とからなり、
前記引戸側金物は、引戸に対する固定のためのベース板部と、前記ランナ本体を装着するための嵌合凹部とを備えるとともに、前記ベース板部には前記レール対応位置からずれた位置に、装着された前記ランナ本体を固定するための固定用ネジ孔を有し、
前記ランナ本体は、前記嵌合凹部に嵌合させる嵌合凸部と、水平軸回りに回動自在に支持されるとともに、前記固定用ネジ孔の対応位置に前記回動軸を中心とする弧状のルーズ孔が形成された調整板と、この調整板に対し前記回動軸から偏心した位置に取り付けられたローラ部材とを備え、
前記ランナ本体を前記引戸側金物に装着した状態で、ランナ本体の調整板を揺動操作することにより、前記ローラ部材の上下方向位置を調整可能とし、かつランナ本体のルーズ孔及び引戸側金物の固定用ネジ孔に固定用ビスを螺入し締結することにより前記調整板を調整後の状態に固定可能としたことを特徴とする引戸用ランナ装置。
【請求項３】
前記引戸側金物の嵌合凹部に爪係合部又は爪部を備えるとともに、前記ランナ本体の嵌合凸部に爪部／爪係合部を備え、ランナ本体の嵌合凸部を前記引戸側金物の嵌合凹部に貫入させた際、前記爪部と爪係合部との係合によって抜脱不能に保持するようにしてある請求項２記載の引戸用ランナ装置。
【請求項４】
前記請求項１記載の引戸用ランナ装置を用いた引戸の取付方法であって、前記引戸側金物を引戸に固定しておくとともに、前記ランナ本体を収納棚のレールに取り付けておき、前記引戸を収納棚の取付部位にあてがったならば、前記ランナ本体を引戸側金物に装着することにより両者を連結し、次いで前記ランナ本体において前記ローラ部材を支持する支持部材を揺動操作することにより揺動軸から偏心した位置に設けられた前記ローラ部材の上下方向位置を調整する手順によることを特徴とする引戸の取付方法。
【請求項５】
前記請求項２〜３いずれかに記載の引戸用ランナ装置を用いた引戸の取付方法であって、前記引戸側金物を引戸に固定しておくとともに、前記ランナ本体を収納棚のレールに取り付けておき、前記引戸を収納棚の取付部位にあてがったならば、前記ランナ本体の嵌合凸部を引戸側金物の嵌合凹部に嵌合させることにより両者を連結し、次いで前記ランナ本体の調整板を揺動操作することにより、前記ローラ部材の上下方向位置を調整するとともに、ランナ本体のルーズ孔及び引戸側金物の固定用ネジ孔に固定用ビスを螺入し締結することにより前記調整板を調整後の状態に固定する手順によることを特徴とする引戸の取付方法。
【発明の詳細な説明】
【技術分野】
【０００１】
本発明は、収納棚の開口面に設けられる引戸をレールに沿って開閉自在とするための引戸用ランナ装置及びこれを用いた引戸の取付方法に関する。
【背景技術】
【０００２】
従来より、収納棚の開口面に対して、アルミ等の金属製フレーム枠内にガラス等のパネルが嵌め込まれてなる引戸を開閉自在に設けたものが知られている。
【０００３】
具体的には、図８および図９に示されるように、アルミ製の上框２３Ａ、下框２３Ｂおよび縦框２３Ｃ、２３Ｄ内にガラス２８が嵌め込まれた引戸２２の上框２３Ａ、下框２３Ｂの裏面側にそれぞれ、ローラ２５を備えるランナ装置２４を配設するとともに、収納棚２１の上板２１Ａの端面及び下板２１Ｂの端面とにそれぞれレール部材２６、２６を配設し、前記ランナ装置２４のローラ部材２５が前記レール部材２６、２６を走行することにより、前記引戸２２を容易に開閉自在としている。この場合、前記ランナ装置２４の位置調整は、板材２４ａに斜め方向の長孔２４ｂ、２４ｂを形成しておき、前記板材２４ａをスライドさせることによりランナ装置２４を斜め上下方向に移動させ、所定の位置でネジ固定するようにしている。
【発明の開示】
【発明が解決しようとする課題】
【０００４】
しかしながら、前記ランナ構造の場合には、図９から明らかなように、レール部材２６の前面にランナ装置２４が位置しているため、引戸２２を収納棚２１に取り付けた状態のままではランナ装置２４の位置調整を行うことはできず、調整の度に、引戸２２を取り外す必要があった。
【０００５】
そこで、本発明の主たる課題は、引戸の裏面側に設けられるとともに、収納棚の上板端面及び下板端面とに夫々設けられたレール上を走行するローラ部材を備え、前記引戸を開閉自在とする引戸用ランナ装置であって、前記引戸を収納棚に取り付けた状態で、引戸用ランナ装置の上下方向位置を調整可能とした引戸用ランナ装置及びこれを用いた引戸の取付方法を提供することにある。
【課題を解決するための手段】
【０００６】
前記課題を解決するための請求項１に係る発明として、引戸の裏面側に設けられるとともに、収納棚の上板端面及び下板端面とに夫々設けられたレール上を走行するローラ部材を備え、前記引戸を開閉自在とする引戸用ランナ装置であって、
前記引戸用ランナ装置は、引戸側に固定される引戸側金物と、前記ローラ部材を備えるとともに、前記引戸側金物に対し装着自在とされるランナ本体とからなり、
前記ランナ本体を前記引戸側金物に装着した状態で、偏心位置に前記ローラ部材を支持する支持部材を揺動操作することにより、前記ローラ部材の上下方向位置を調整可能としたことを特徴とする引戸用ランナ装置が提供される。
【０００７】
請求項２に係る発明として、引戸の裏面側に設けられるとともに、収納棚の上板端面及び下板端面とに夫々設けられたレール上を走行するローラ部材を備え、前記引戸を開閉自在とする引戸用ランナ装置であって、
前記引戸用ランナ装置は、引戸側に固定される引戸側金物と、前記ローラ部材を備えるとともに、前記引戸側金物に対し装着自在とされるランナ本体とからなり、
前記引戸側金物は、引戸に対する固定のためのベース板部と、前記ランナ本体を装着するための嵌合凹部とを備えるとともに、前記ベース板部には前記レール対応位置からずれた位置に、装着された前記ランナ本体を固定するための固定用ネジ孔を有し、
前記ランナ本体は、前記嵌合凹部に嵌合させる嵌合凸部と、水平軸回りに回動自在に支持されるとともに、前記固定用ネジ孔の対応位置に前記回動軸を中心とする弧状のルーズ孔が形成された調整板と、この調整板に対し前記回動軸から偏心した位置に取り付けられたローラ部材とを備え、
前記ランナ本体を前記引戸側金物に装着した状態で、ランナ本体の調整板を揺動操作することにより、前記ローラ部材の上下方向位置を調整可能とし、かつランナ本体のルーズ孔及び引戸側金物の固定用ネジ孔に固定用ビスを螺入し締結することにより前記調整板を調整後の状態に固定可能としたことを特徴とする引戸用ランナ装置が提供される。
【０００８】
請求項３に係る発明として、前記引戸側金物の嵌合凹部に爪係合部又は爪部を備えるとともに、前記ランナ本体の嵌合凸部に爪部／爪係合部を備え、ランナ本体の嵌合凸部を前記引戸側金物の嵌合凹部に貫入させた際、前記爪部と爪係合部との係合によって抜脱不能に保持するようにしてある請求項２記載の引戸用ランナ装置が提供される。
【０００９】
請求項４に係る発明として、前記請求項１記載の引戸用ランナ装置を用いた引戸の取付方法であって、前記引戸側金物を引戸に固定しておくとともに、前記ランナ本体を収納棚のレールに取り付けておき、前記引戸を収納棚の取付部位にあてがったならば、前記ランナ本体を引戸側金物に装着することにより両者を連結し、次いで前記ランナ本体において前記ローラ部材を支持する支持部材を揺動操作することにより揺動軸から偏心した位置に設けられた前記ローラ部材の上下方向位置を調整する手順によることを特徴とする引戸の取付方法が提供される。
【００１０】
請求項５に係る発明として、前記請求項２〜３いずれかに記載の引戸用ランナ装置を用いた引戸の取付方法であって、前記引戸側金物を引戸に固定しておくとともに、前記ランナ本体を収納棚のレールに取り付けておき、前記引戸を収納棚の取付部位にあてがったならば、前記ランナ本体の嵌合凸部を引戸側金物の嵌合凹部に嵌合させることにより両者を連結し、次いで前記ランナ本体の調整板を揺動操作することにより、前記ローラ部材の上下方向位置を調整するとともに、ランナ本体のルーズ孔及び引戸側金物の固定用ネジ孔に固定用ビスを螺入し締結することにより前記調整板を調整後の状態に固定する手順によることを特徴とする引戸の取付方法が提供される。
【発明の効果】
【００１１】
上記本発明によれば、前記ランナ本体を前記引戸側金物に装着した状態で、偏心位置に前記ローラ部材を支持する支持部材（調整板）を揺動操作することにより、前記ローラ部材の上下方向位置を調整可能なランナ構造としたため、前記引戸を収納棚に取り付けた状態で、引戸用ランナ装置の上下方向位置の調整が可能となる。また、ランナ装置を引戸側に固定される引戸側金物と、前記ローラ部材を備えるとともに、前記引戸側金物に対し装着自在とされるランナ本体とに分離した構造としたため、前記引戸側金物を引戸に固定しておくとともに、前記ランナ本体を収納棚のレールに取り付けておき、前記ランナ本体を引戸側金物に装着することにより両者を連結して引戸を収納棚に取付けできるようになる。すなわち、収納棚の側部に空間があり、レールの端面開口からローラを挿入できる場合は一体のランナ装置でも問題ないが、側部に空間的な余裕がなく正面側からしか取付けできないような場合には、本ランナ装置によれば省力的かつ効率的に引戸の取付けが行えるようになる。
【発明を実施するための最良の形態】
【００１２】
以下、本発明の実施の形態について図面を参照しながら詳述する。
図１は、本発明が適用された収納棚の全体斜視図であり、図２は本発明に係る引戸用ランナ装置の取付け構造を示す正面図、図３はその縦断面図である。
【００１３】
図１に示されるように、収納棚２は、上板２Ａの端面と下板２Ｂの端面とにそれぞれ水平方向に沿ってレール５，５が設けられるとともに、収納棚２の開口幅の約１／３幅とされる２枚の引戸３、３が前記レール５，５を走行ガイドとして開閉自在に設けられている。
【００１４】
前記引戸３は、アルミ等の金属形材からなる上框４Ａ、下框４Ｂ及び縦框４Ｃ、４Ｄによって構成されたフレーム枠４内にガラス等のパネル７が嵌め込まれたものであり、この引戸３のフレーム４の裏面側に引戸用ランナ装置（以下、単にランナ装置という）が本発明に係る取付け構造に従って取り付けられている。なお、図示の例では、引戸３が２枚設けられた両開きタイプとしたが、収納棚２の開口幅の約１／２幅とされる引戸３が１枚のみ設けられた片開きタイプであってもよい。
【００１５】
以下、本発明に係るランナ装置６の取付け構造について具体的に詳述する。
【００１６】
前記ランナ装置６は、引戸３側に固定される引戸側金物８と、前記レール５を走行するローラ部材を備えるとともに、前記引戸側金物８に対し装着自在とされるランナ本体９とから構成されている。
【００１７】
前記引戸側金物８は、詳細には図５に示されるように、引戸３に対してビス固定するためのベース板部８Ａと、前記ランナ本体９を装着するための嵌合凹部８Ｂとを備えている。前記ベース板部８Ａは、正面視で半リング形状を成し、両側部分にそれぞれ引戸３に対して固定するためのビス孔８ａ、８ａが形成されているとともに、取付状態で前記レール５の対応位置から下側にずれた位置に、装着した前記ランナ本体９を固定するための固定用ネジ孔８ｂが形成されている。
【００１８】
また、前記嵌合凹部８Ｂは、前記半リング形状のベース板部８Ａの内周側に連設して一体的に設けられた、正面視で円形状を成す浅底の有底凹状部材で、外側（引戸裏面側）に開口を向けた状態となっている。前記嵌合凹部８Ｂを構成する周壁の上部には装着されたランナ本体９を抜脱不能に保持するために開口による爪係合部８ｃが設けられている。
【００１９】
引戸３に対する取付けは、上框４Ａ裏面の取付部位に前記嵌合凹部８Ｂを嵌合させるための凹部４ａを予め形成しておき、前記引戸側金物８の嵌合凹部８Ｂを前記凹部４ａに嵌合させた状態で取付け、ビス１０，１０をベース板部８Ａのビス孔８ａ、８ａに螺入し固定する。
【００２０】
一方、ランナ本体９は、詳細には図６に示されるように、前記嵌合凹部８Ｂに嵌合させ引戸側金物８との一体化を図るための嵌合凸部１１と、この嵌合凸部１１に対して水平軸回りに回動自在に支持されるとともに、前記固定用ネジ孔８ｂの対応位置に回動軸１４を中心とする弧状のルーズ孔１２ａが形成された調整板１２と、この調整板１２に対し前記回動軸１４から偏心した上部側位置に取り付けられたローラ部材１３とを備えている。
【００２１】
前記嵌合凸部１１は、前記ベース板部８Ａに形成された嵌合凹部８Ｂに嵌合し得るように正面視で円形状の凸部形状を成し、上部側には爪係合部８ｃに係合し抜脱不能に保持するための爪１１ａが設けられている。また、下半分は嵌合凹部８Ｂに嵌入し易いように下側に向かって漸次厚みを減ずる傾斜面となっている。
【００２２】
前記調整板１２は、前記嵌合凸部１１の裏面側（レール５側）に隣接して配置された板状部材で、前記嵌合凸部１１の正面視形状に整合させた円形板部１２Ａと、この円形板部１２Ａの下側に一体的に延在して形成された固定板部１２Ｂとから構成されている。前記円形板部１２Ａは回動軸１４により嵌合凸部１１に回動自在に連結され、前記固定板部１２Ｂには前記回動軸１４を中心とする弧状のルーズ孔１２ａが形成されている。なお、前記ランナ本体９の装着状態で、前記固定板部１２Ｂを前記引戸側金物８のベース板部８Ａに重ね合わせるために、固定板部１２Ｂは前記円形板部１２Ａに対して段差をもって形成されている。
【００２３】
前記ローラ部材１３は、前記回動軸１４から偏心させた調整板部１２の上部側位置に支軸１５により回転自在に支持されている。前記ローラ部材１３は、図３に示されるように、実際にレール５上を走行する走行ローラ部１３ａと、前記走行ローラ部１３ａの外側に隣接して一体的に形成された若干大径の外れ止めローラ部１３ｂとからなり、一方前記レール５は、断面略溝型形状を成し、部材長手方向に沿って適宜の間隔で形成されたネジ取付孔５ｃ、５ｃ…から螺入された固定ネジ１６、１６…によって上板２Ａの端面と下板２Ｂの端面とにそれぞれ固定されている。また、ローラ走行部となる下フランジには凹溝５ａが形成され、この凹溝５ａの外側壁部の上面を前記走行ローラ部１３ａが走行し、前記凹溝５ａ内に前記外れ止めローラ部１３ｂが嵌合するようになっており、引戸３が容易に外れないように保持されている。
【００２４】
前記引戸３の取り付けに際しては、図７に示されるように、引戸３の裏面側に前記引戸側金物８を取り付けておく。引戸側金物８の取付け位置は、引戸３の上框４Ａの左右両側、下框４Ｂの左右両側の４箇所とする。
【００２５】
一方、レール５の端面開口部から前記ランナ本体９のローラ部材１３を嵌め入れランナ本体９をレール５に取り付けておく。ランナ本体９の取付け数は、前記引戸側金物８の個数に合わせた数とする。
【００２６】
次に、前記引戸３を収納棚２の取付部位にあてがったならば、前記ランナ本体９の嵌合凸部１１を引戸側金物８の嵌合凹部８Ｂに嵌合させることにより両者を連結し引戸３を収納棚２の開口面に仮固定状態で設置する。次いで、ランナ本体９のルーズ孔１２ａ及び引戸側金物８の固定用ネジ孔８ｂに固定用ビス１７を螺入する。この螺入状態では、完全に締結せず前記調整板１２は揺動可能な状態としておく。
【００２７】
そして、前記ランナ本体９の調整板１２を揺動操作することにより、前記ローラ部材１３の上下方向位置を調整したならば、前記固定用ビス１７をさらに螺入して締結することにより前記ランナ本体９の調整板１２を調整後の状態に固定する。
【００２８】
前記ローラ部材１３がきっちりと調整された位置に固定されたならば、前記レール５の端部にレールキャップ（図示せず）を嵌め込み設置を完了する。なお、図２において、レール５の端部位置には前記ローラ部材１３が衝合するストッパー部材１８が設けられ、引戸３がそれ以上側方に移動できないように規制されている。
【００２９】
（他の形態例）
(1)上記例の引戸３は、アルミ等の金属形材からなる上框４Ａ、下框４Ｂ及び縦框４Ｃ、４Ｄによって構成されたフレーム枠内にガラス等のパネル７が嵌め込まれた鋼製引戸であるが、例えば木製の上框、下框及び縦框によって構成された木フレームの表裏面にそれぞれ木板が貼着された木製引戸や、無垢板等の木製引戸に対しても同様に適用することが可能である。
(2)上記形態例では、引戸側金物８の嵌合凹部８Ｂに爪係合部８ｃを形成し、ランナ本体９の嵌合凸部１１に爪１１ａを形成したが、この関係は逆であってもよい。すなわち、前記引戸側金物８側に爪を形成し、ランナ本体９側に爪係合部を形成してもよい。
(3)上記形態例では、引戸側金物８の嵌合凹部８Ｂ及びランナ本体９の嵌合凸部１１をそれぞれ正面視円形状に形成したが、矩形状、多角形状等の任意の形状としてもよい。また、もちろん底部は省略してもよい。
(4)上記形態例では、ランナ本体９において、嵌合凸部１１の裏面側に直接、調整板１２を回動自在に連結したが、中間部材を介して嵌合凸部１１と調整板１２とを連結するようにしてもよい。
【図面の簡単な説明】
【００３０】
【図１】本発明が適用された収納棚の全体斜視図である。
【図２】本発明に係る引戸用ランナ装置６の取付け状態を示す正面図である。
【図３】その縦断面図である。
【図４】その平面図である。
【図５】引戸側金物８を示す、(A)は正面図、(B)は平面図、(C)は側面図である。
【図６】ランナ本体９を示す、(A)は正面図、(B)は平面図、(C)は側面図である。
【図７】本ランナ装置６を用いた引戸の取付け要領を示す図である。
【図８】従来の引戸用ランナ装置の取付け構造を示す正面図である。
【図９】その縦断面図である。
【符号の説明】
【００３１】
２…収納棚、２Ａ…上板、２Ｂ…下板、３…引戸、４…フレーム枠、４Ａ…上框、４Ｂ…下框、４Ｃ・４Ｄ…縦框、５…レール、６…ランナ装置、７…パネル、８…引戸側金物、８Ａ…ベース板部、８Ｂ…嵌合凹部、８ｂ…固定用ネジ孔、８ｃ…爪係合部、９…ランナ本体、１１…嵌合凸部、１１ａ…爪、１２…調整板、１２ａ…ルーズ孔、１３…ローラ部材、１４…回動軸、１５…支軸
【図１】
2005146681.tif 000003
【図２】
2005146681.tif 000004
【図３】
2005146681.tif 000005
【図４】
2005146681.tif 000006
【図５】
2005146681.tif 000007
【図６】
2005146681.tif 000008
【図７】
2005146681.tif 000009
【図８】
2005146681.tif 000010
【図９】
2005146681.tif 000011